(57)【要約】      （修正有）【課題】装身具としての装飾性を損なうことなく、リングサイズを合わせながら指の外方から円滑に着脱でき、装着後には強い保持力を発揮してみだりに外れることがない指輪を提供する。【解決手段】一対の半環状のリング部材２、３の基部を軸着部５を介して軸着して円形、楕円形又は角形に構成し、一方のリング部材２の二又部２０の間に他方のリング部材３の装入基部２１を装入し、かつこれらの間に一対の金属薄板をそれぞれ介在させて軸着部を軸着ピン３０で加締めて一対のリング部材を回動自在に設ける。金属薄板の一面を膨出させて軸穴を有するアール面を形成し、アール面同士を当接させて金属薄板に負荷を与え、二又部２０と装入基部２１との圧接面に金属薄板の外縁部が突出しない状態で圧接させる。【選択図】図１
0003193724.tif 000002
【実用新案登録請求の範囲】
【請求項１】
一対の半環状のリング部材の基部を軸着部を介して軸着して円形、楕円形又は角形の指輪本体を構成し、一方のリング部材の基部に形成した二又部の間に他方のリング部材の基部に形成した装入基部を装入し、かつ前記二又部と装入基部との間に一対の金属薄板をそれぞれ介在させて軸着部を軸着ピンで加締めて一対のリング部材を前記軸着部を介して回動自在に設けると共に、前記金属薄板の一面を膨出させて軸穴を有するアール面を形成し、一対の金属薄板のアール面同士を当接させて金属薄板同士に負荷を与え、前記二又部と前記装入基部との圧接面に前記金属薄板の外縁部が前記圧接面から突出しない状態で圧接させたことを特徴とする指輪。
【請求項２】
前記金属薄板の外端部までの長さは、前記二又部と前記装入基部の幅距離より小さく形成して前記金属薄板が圧接面より突出しないようにした請求項１に記載の指輪。
【請求項３】
一対の前記金属薄板に形成した軸穴の膨出側に有するバリ部同士を当接させて一対の金属薄板に負荷を与えた請求項１又は２に記載の指輪。
【請求項４】
前記金属薄板は、六角形、四角形、菱形又は丸形である請求項１乃至３の何れか１項に記載の指輪。
【請求項５】
一対のリング部材の自由端部に飾部を施した請求項１乃至４の何れか１項に記載の指輪。
【考案の詳細な説明】
【技術分野】
【０００１】
本考案は指輪に関し、特に、リングサイズを調節しつつ指の外方より円滑かつ強固に装着でき、かつ取外しも容易な指輪に関する。
【背景技術】
【０００２】
従来、環状の指輪を二つに分割し、分割した半片同士を回動可能に軸着して指の外方より着脱するようにした指輪が知られている。例えば、特許文献１の指環では、互に食違い状に分割形成した指環半片の基部内側に係合段部が設けられ、基部に螺状ばねが設けられ、この螺状ばねを介して支軸により弾発回動自在に軸支されている。この軸着構造により指環半片に負荷が加えられて、装着状態が保持されるようになっている。
【０００３】
一方、特許文献２の指輪では、一対の円弧状部材が取付端部と取付基部との軸ピンによる連結により回動自在に設けられ、取付基部の先端部分が、取付脚部の幅方向に向けてテーパ状に形成されている。この指輪では、取付基部先端のテーパ部分と取付脚部の内面との係合部分にかかる負荷により、挟着力が生じるようになっている。
【先行技術文献】
【特許文献】
【０００４】
【特許文献１】実開昭４９−３２９９６号公報
【特許文献２】実用新案登録第３１６４０４０号公報
【考案の概要】
【考案が解決しようとする課題】
【０００５】
前者の特許文献１における指環は、圧縮した螺状ばねの弾発力で指環半片の回転状態を保持しているため、指輪全体を小さくしたり細くしたときに螺状ばねも小さくなり、これによってその弾発力も弱くなる。そのため、装着時の挟着力が十分でなく、手指を動かしたり外部からの不用意な接触があったときに、指から脱落するおそれがある。装着する際には、螺状ばねの弾発力に抗して半片同士を開く方向に片手で回転させ、この状態を保持しながら反対側の手指に取付ける必要があるため装着作業が困難になる。装着後には、螺状ばねによって常に指を保持する方向の力が加わるため、指が圧迫されることになり長時間の装着には適していない。この指環は、螺状ばねが外部に露出しているために見栄えが悪くなり、装飾価値が低いという大きな問題がある。
【０００６】
後者の特許文献２の指輪では、円弧状部材を閉じて取付基部のテーパ部分と取付脚部の内面とがくさび状に係合したときに挟着力を発生させている。このため、全体を小型化したり細くしてくさび部分の面積が減った場合には、装着後の挟着力が弱くなって脱落する可能性が生じる。不用意な力が加わってくさびの係合位置がずれた場合には、挟着力がなくなって脱落につながることになる。くさびの接触部分の摩耗が激しくなると、挟着力が弱くなるという問題もある。
【０００７】
本考案は、上記の実情に鑑みて、鋭意検討の結果、開発に至ったものであり、その目的とするところは、装身具としての装飾性を損なうことなく、リングサイズを合わせながら指の外方から円滑に着脱でき、装着後には強い保持力を発揮してみだりに外れることがない指輪を提供することにある。
【課題を解決するための手段】
【０００８】
上記目的を達成するために、請求項１に係る考案は、一対の半環状のリング部材の基部を軸着部を介して軸着して円形、楕円形又は角形の指輪本体を構成し、一方のリング部材の基部に形成した二又部の間に他方のリング部材の基部に形成した装入基部を装入し、かつ二又部と装入基部との間に一対の金属薄板をそれぞれ介在させて軸着部を軸着ピンで加締めて一対のリング部材を軸着部を介して回動自在に設けると共に、金属薄板の一面を膨出させて軸穴を有するアール面を形成し、一対の金属薄板のアール面同士を当接させて金属薄板同士に負荷を与え、二又部と装入基部との圧接面に金属薄板の外縁部が圧接面から突出しない状態で圧接させた指輪である。
【０００９】
請求項２に係る考案は、金属薄板の外端部までの長さは、二又部と装入基部の幅距離より小さく形成して金属薄板が圧接面より突出しないようにした指輪である。
【００１０】
請求項３に係る考案は、一対の金属薄板に形成した軸穴の膨出側に有するバリ部同士を当接させて一対の金属薄板に負荷を与えた指輪である。
【００１１】
請求項４に係る考案は、金属薄板は、六角形、四角形、菱形又は丸形である指輪である。
【００１２】
請求項５に係る考案は、一対のリング部材の自由端部に飾部を施した指輪である。
【考案の効果】
【００１３】
請求項１に係る考案によると、二又部と装入基部との間に介在させた金属薄板でリング部材同士に強い保持力を発揮させるようにし、この金属薄板の外縁部が外部に突出することがないため、この軸着部分が大型化したり見栄えが悪くなって装身具としての装飾性を損なうことがない。
装着時には、一対の半環状のリング部材の基部を開閉し、指の外方より関節をまたぐようにして第二関節の根元に取付けできるため、指の太い部分である関節よりも縮径させながら指にフィットさせた状態で装着できる。この場合、金属薄板のアール面同士を当接させて金属薄板同士に負荷を与え、二又部と装入基部との圧接面に金属薄板の外縁部が圧接面から突出しない状態で圧接させていることで、一対のリング部材を円滑に開閉して容易に装着できる。
一対のリング部材の回動により指の太さに応じてリングサイズを変えることができるため、各種の径の指輪として用いることができ、リングサイズを調節した場合にも指全体に環状に装着させた状態を維持できるため装飾性が損なわれることがない。
一旦装着した後には、一対の金属薄板により強固な保持力を発揮してリング部材の相互の回転を防いで脱落を防止でき、関節よりも径の小さい位置に強い保持力で装着するため関節からの抜けを確実に防止でき、指の装脱方向に対してもみだりに外れることがない。しかも、金属薄板でリング部材同士を所定のリングサイズに保持しているため、指が圧迫されることがなく、長い時間装着した場合にも優れた装着感を維持できる。
【００１４】
請求項２に係る考案によると、金属薄板が外部に露出しないため装身具としての装飾性を損なうことなく軸部付近を細くして装飾性の一層の向上も図ることが可能となり、しかも、金属薄板を小型に設けたときにも十分な挟着力を発揮させることができる。
【００１５】
請求項３に係る考案によると、バリ部同士の当接により金属薄板間の摩擦力を大きくし、リング部材同士の回動範囲において、金属薄板と、二又部、装入基部の圧接面との間に大きな摩擦力を常時発生させて、この摩擦力でリング部材同士の保持力を向上することで使用中の緩みの発生を防止し、脱落を確実に防止できる。
【００１６】
請求項４に係る考案によると、金属薄板を各種形状に設けることが可能であり、六角形に設けた場合、六ヶ所の頂部が回動脚部や回動基部の表面に食い込んでアール面との双方による摩擦力を向上して保持力を高めることができる。四角形や菱形又は丸形に設けた場合には、全体を小型化及び薄型化しつつ保持力も維持できる。
【００１７】
請求項５に係る考案によると、自由端部の飾部により全体の装飾性を高めることができ、自由端部が外部に露出しないことで不用意な接触を防いで指からの脱落や自由端部が傷付いたりすることを回避できる。双方の自由端部に飾部を施すようにすれば、一対のリング部材を回動させてリングサイズを調節したときにもデザイン性が損なわれることがなく、さらに、太さの違う指に装着したときは、両側の飾部の間隔が変わるため、異なる趣の装飾性を発揮する。
【図面の簡単な説明】
【００１８】
【図１】本考案における指輪の一実施形態を示す斜視図である。
【図２】（ａ）は装着端部が開いた状態を示す側面図である。（ｂ）は装着端部が閉じた状態を示す側面図である。
【図３】（ａ）は、軸着部付近を示した一部拡大断面図である。（ｂ）は、金属薄板と二又部、装入基部の位置関係を示す概念図である。（ｃ）は、軸着部付近を示す一部拡大断面図である。
【考案を実施するための形態】
【００１９】
本考案における指輪の一実施形態を図面に基づいて詳細に説明する。図１においては、本考案の指輪の閉じた状態を示す斜視図、図２においては、指輪の側面図、図３においては、軸着部付近の断面図を示している。
図１〜図３において、本考案の指輪（以下、指輪本体１という）は、一対の半環状のリング部材２、３、金属薄板４、軸着部５を有し、一対のリング部材２、３の基部を軸着部５を介して軸着したときに全体が円形、楕円形又は角形に構成される。本実施形態においては、指輪本体１は円形に形成される。
【００２０】
一対のリング部材２、３は、金（１８Ｋ等）、プラチナ、シルバー等の貴金属素材により装飾的価値の高いデザインに形成される。図２（ａ）、図２（ｂ）に示すように、リング部材２、３の自由端部７、８の何れか一方又は双方には飾部１０が施され、外周面にはこの飾部１０よりも小型の装飾材１１が設けられる。
【００２１】
図２において、飾部１０は、ダイアモンド等の装飾性を有する宝石等により形成され、図示しない石座等により自由端部７、８に固定される。飾部１０は、指輪本体１の指への装着時に双方の自由端部７、８付近を覆う大きさに設けられることが望ましい。飾部１０は、双方の自由端部７、８に分割された状態で設けられていたり、或は、各自由端部７、８に独立した状態で設けられていてもよく、飾部１０を各自由端部７、８に独立して設ける場合、互いに外形の全く異なる形状であったり、又は、互いに同じ形状や相似形状に設けられていてもよい。
一方、装飾材１１は、飾部１０と同じ種類の宝石や、或はその他の装飾性を有する宝石などにより形成され、リング部材に嵌め込みや接着等の手段で取り付けられる。
【００２２】
各リング部材２、３の基部には、二又部２０又は装入基部２１がそれぞれ形成される。二又部２０は、一方のリング部材２の基部に二又状に設けられ、装入基部２１は、他方のリング部材３の基部に、二又部２０の間に装入可能な突状に形成される。二又部２０への装入基部２１の装入状態において、これら二又部２０と装入基部２１との間には、一対の金属薄板４、４がそれぞれ介在される。さらに、各リング部材２、３の基部には、貫通孔からなる軸着部５が形成され、一対のリング部材２、３は、この軸着部５が軸着ピン３０により加締められていることでこの軸着部５を介して回動自在に設けられる。
【００２３】
図３に示した金属薄板４は、弾性、硬度及び耐磨耗性、加工容易性、装身具に使用する場合に必要な耐食性などを考慮した上で、適正な材料により形成される。本実施形態では、金属薄板４は、ステンレスにより形成されているが、鋼などにより形成されていてもよい。
【００２４】
金属薄板４は、六角形、四角形、菱形又は丸形に形成されていればよく、本実施形態では、図３（ｂ）に示すように六角形に設けられる。図３（ｃ）において、金属薄板４の一面には中央が膨出したアール面３２が形成され、その中心には軸穴３３が形成される。図３（ｂ）において、金属薄板４の外周には六角形の辺を成す外縁部３４と、この外縁部の間に多角形頂部３５が形成される。
【００２５】
一対の金属薄板４、４は、アール面３２、３２同士が当接されて負荷が与えられた状態で、二又部２０と装入基部２１とに設けられた圧接面３６、３７に配置される。
図３（ｂ）に示すように、金属薄板４の外端部までの長さＬは、二又部２０と装入基部２１の幅距離Ｗよりも小さく形成されている。これにより、金属薄板４を圧接面３６、３７に配置したときには、この金属薄板４の外縁部３４が圧接面３６、３７よりも突出することがなく、この状態で金属薄板４の多角形頂部３５を圧接面に圧接させたり、さらには食い込ませた状態に設けることが可能になる。
【００２６】
図３（ａ）における金属薄板４の板厚Ｔは、０．０８〜０．２７ｍｍの範囲であるとよく、さらには０．１４〜０．２６ｍｍの範囲であることがより好ましい。この理由として、板厚Ｔが０．０８ｍｍ未満、及び０．２７ｍｍを超える場合には、それぞれ金属薄板４に十分な弾性力が得られなくなるためである。
【００２７】
金属薄板４の軸穴３３の膨出側の周囲には図３（ｂ）のバリ部４０が形成される。金属薄板４は、対向するバリ部４０、５０同士が当接された状態でリング部材２、３同士の間に装着され、これにより一対の金属薄板４、４の圧縮方向に与えられた負荷がより強くなる。バリ部４０は、軸穴３３の穿孔時に発生するものであればよく、別途加工されている必要はない。
【００２８】
続いて、上述した指輪本体１を手指に装着する場合と、本考案の上記実施形態における指輪の作用を説明する。
指輪本体１を手指に装着する場合、一対のリング部材２、３を軸着部５を中心に相互に回転させて開いた状態にし、指の外側又は先方側から所望の装飾位置に配置させ、これら一対のリング部材２、３を閉じる方向に相互に回転させて装着する。このように装着することで、爪にネイルアートを施している場合や、関節が太い場合には、指の外側から容易に着脱することができる。
【００２９】
その際、一対のリング部材２、３を、軸着部５を中心に回転しながら図１に示したリング内径φｄを拡縮してリングサイズを調節し、指の太さに応じて適切な径に合わせて指にフィットさせた状態で装着できる。このとき、金属薄板４によりリング部材２、３同士の回転状態を保持ながら所定のリングサイズに設けているため、リング部材２、３による指への圧迫を防止できる。そのため、一つの指輪本体１でありながら、優れた装着性を維持しつつ各種の径の指輪として使用でき、使用者の十指の何れの指に装着することも可能になる。
【００３０】
リング部材２、３同士を回転させる際には、自由端部７、８同士を重ね合わせた状態を維持しながらリングサイズを調節できるため、指の周囲全体を包囲して装飾性を損なうことがなく、指輪本体１の指からの抜け出しも防止する。指輪本体１を異なる指に装着する場合には、自由端部７、８同士の位置関係が変わって飾部１０の位置も変わることになるが、指輪本体１全体を指に対して回転させることで飾部１０を適切な位置に調節できる。
【００３１】
飾部１０を自由端部７、８の双方に設けた場合には、異なる指に装着したときに飾部１０の相互の間隔を変えてデザイン性を損なうことなく使用可能となる。例えば、各自由端部７、８に相似形状の花模様等の飾部を施すようにすれば、装着する指の太さに応じてこれら花模様の飾部の間隔が変わることで、何れの指に装着した場合にも違和感の無いデザイン性を維持できる。
このように、飾部１０の形状や大きさを変えることにより、指に装着したときのデザインのバリエーションも広がるため、あらたな装飾的価値を見出すことができる。
【００３２】
装着後には、二又部２０と装入基部２１との間に金属薄板４を介在しつつ、軸着部５を軸着ピン３０で加締めていることから金属薄板４を圧縮させて弾性変形により大きな復元力を発生でき、外縁部３４を各圧接面３６、３７に強い力で押付ける。これによって、一対のリング部材２、３の回動範囲において、金属薄板４と圧接面３６、３７との間には常時挟着力が加わる。
【００３３】
このとき、金属薄板４に一面を膨出したアール面３２を形成しているため、この金属薄板４の弾性力が平坦な薄板を用いた場合と比較して大きくなる。しかも、アール面３２同士を当接させて金属薄板４同士に負荷を与えつつ、軸着部５を軸着ピン３０で加締めていることで弾性力がさらに増加する。
【００３４】
一対の金属薄板４の膨出側のバリ部４０同士を当接させて負荷を与えているため、これらバリ部４０同士を干渉させて大きな摩擦力が発生する。この摩擦力は、バリ部４０を設けない場合に比較して著しく大きくなり、金属薄板４を硬質材で設けることにより、バリ部４０の耐摩耗性を高くして金属薄板４間の摩擦力を長期間に亘って維持することも可能になる。
【００３５】
金属薄板４の多角形頂部３５は、圧接面３６、３７に点接触により圧接し、加締めによりこの接触部分には大きい押圧力が生じている。このとき金属薄板４の硬度が貴金属製のリング部材よりも大きいため、多角形頂部３５が圧接面３６、３７を塑性変形させながら食い込む。このため、金属薄板４と圧接面３６、３７との滑りを防ぎ、金属薄板４と、二又部２０、装入基部２１との相対的な回動を阻止する。
【００３６】
これらのことから、一対のリング部材２、３同士の間には回動が阻止される力が働き、自然の力や外部からの接触による不用意な力に対して、みだりに回転して緩んだり指からの脱落を防止できる。指輪本体１には閉鎖する方向に力が常時働くことがないため、指を締付けることがない。そのため、長時間装着した場合にも、指に痛みが生じたり違和感を生じることがなく、自然な装着感を維持する。
【００３７】
二又部２０と装入基部２１との圧接面３６、３７に、金属薄板４の外縁部３４が圧接面３６、３７から突出しない状態で食い込ませていることで、金属薄板４が外部に露出することがなく、装飾的価値を低下させることがない。このように円形で外部に突起物のない形状に加えて、飾部１０や装飾材１１を設けることで優れた装飾性を発揮する。また、指輪本体１を楕円形や角形に設けた場合には、円形とは異なる特有の装飾性を発揮する。
装飾性を高めるためにリング部材２、３を表面研磨することもでき、この場合、金属薄板４まで研磨が及ぶことがないためこの金属薄板４が傷付くことがなく、金属薄板４による保持力が低下することがなく、表面に傷が生じて手指を傷付けるおそれもない。
【００３８】
指輪本体１を指から取外す際には、一対のリング部材２、３同士を装着方向とは反対の開く方向に相対的に回転させるようにすればよく、このとき、金属薄板４の弾性力に抗して軽い力で回転して簡単に取外しできる。
【００３９】
なお、図示しないが、指に装着することなく一対のリング部材２、３同士を回転させて自由端部７、８同士を重ね合わせるようにし、このように環状に回転させた指輪本体１にチェーンを通すようにすれば、指輪本体１をペンダントとして用いることも可能である。
【符号の説明】
【００４０】
１  指輪本体
２、３  リング部材
４  金属薄板
５  軸着部
７、８  自由端部
１０  飾部
２０  二又部
２１  装入基部
３１  軸着ピン
３３  軸穴
３２  アール面
３６、３７  圧接面
３４  外縁部
４０  バリ部
Ｌ  長さ
Ｗ  幅距離
【図１】
0003193724.tif 000003
【図２】
0003193724.tif 000004
【図３】
0003193724.tif 000005